(57)【要約】  本発明は、移動端末が無線セルラー通信ネットワークにアクセスできるようにするための方法に関する。当該方法は、移動端末から１つの基地局５６５０、５６００に向けて転送されるメッセージの受信を検出するステップと、少なくとも１つの基地局の第１のリスト５６５１、５６０１において、または、少なくとも１つの基地局の第２のリスト５６５３，５６０３において、上記のメッセージを受信した基地局が特定されるか否かを判断するステップと、上記のメッセージを受信した基地局が第２のリストにおいて特定され、かつ、第１のリストにおいて特定される各基地局が使用可能でない場合（５６５４、５６５５、５６０４、５６０５）に、上記のメッセージを受信した基地局を経由する無線セルラー通信ネットワークへのアクセス権を移動端末に与えるステップと、上記のメッセージを受信した基地局が第２のリストにおいて特定され、かつ、第１のリストにおいて特定される基地局が使用可能である場合（５６５４、５６５７、５６０４、５６０８）に、上記のメッセージを受信した基地局を経由する無線セルラー通信ネットワークへのアクセス権を移動端末に与えるのを拒否するステップとを含む。
2012503391.tif 000002
【特許請求の範囲】
【請求項１】
移動端末が複数の基地局を含む無線セルラー通信ネットワークにアクセスできるようにするための方法であって、
前記移動端末は、基地局を経由して前記無線セルラー通信ネットワークにアクセスするのを許されているが、他の基地局を経由して前記無線セルラー通信ネットワークにアクセスするのを許されておらず、
該方法は、
−  前記移動端末から該移動端末が前記無線セルラー通信ネットワークにアクセスする際に経由することを要求する１つの基地局に向けて転送されるメッセージの受信を検出するステップと、
−  前記移動端末が前記無線セルラー通信ネットワークにアクセスする際に経由することができる少なくとも１つの基地局の第１のリストにおいて、または、前記移動端末が前記無線セルラー通信ネットワークにアクセスする際に経由することができる少なくとも１つの基地局の第２のリストにおいて、前記メッセージを受信した基地局が特定されるか否かを判断するステップと、
−  前記メッセージを受信した基地局が前記第２のリストにおいて特定され、かつ、前記第１のリストにおいて特定されて前記移動端末が前記無線セルラー通信ネットワークにアクセスする際に経由するべき各基地局が使用可能でない場合に、前記メッセージを受信した基地局を経由する前記無線セルラー通信ネットワークへのアクセス権を前記移動端末に与えるステップと、
−  前記メッセージを受信した基地局が前記第２のリストにおいて特定され、かつ、前記第１のリストにおいて特定されて前記移動端末が前記無線セルラー通信ネットワークにアクセスする際に経由するべき少なくとも１つの基地局が使用可能である場合に、前記メッセージを受信した基地局を経由する前記無線セルラー通信ネットワークへのアクセス権を前記移動端末に与えるのを拒否するステップと
を含むことを特徴とする、移動端末が複数の基地局を含む無線セルラー通信ネットワークにアクセスできるようにするための方法。
【請求項２】
前記第１のリストは複数の基地局を含むことを特徴とし、
前記方法は、前記基地局によって受信される前記メッセージの中から、使用可能でない少なくとも１つの基地局を特定する情報を読み出すことによって、または、前記メッセージを受信した基地局と前記第１のリストにおいて特定される基地局との隣接を表す情報を用いることによって、前記移動端末が前記無線セルラー通信ネットワークにアクセスする際に経由するべきであるが使用可能でない、前記第１のリストにおける前記少なくとも１つの基地局を決定するステップをさらに含むことを特徴とする、請求項１に記載の方法。
【請求項３】
前記無線セルラー通信ネットワークは、コアネットワーク装置を含むことを特徴とし、
前記方法は、前記コアネットワーク装置によって実行されることを特徴とする、請求項１又は２に記載の方法。
【請求項４】
前記方法は、前記メッセージを受信する基地局によって実行されることを特徴とする、請求項１又は２に記載の方法。
【請求項５】
前記方法は、前記移動端末のために、該移動端末が前記無線セルラー通信ネットワークにアクセスする際に経由することができる少なくとも１つの基地局の前記第２のリストを決定するステップをさらに含むことを特徴とし、
前記第２のリストの決定ステップは、前記コアネットワーク装置又は前記第１のリストにおいて特定される少なくとも１つの基地局によって実行されることを特徴とする、請求項１〜４のいずれか一項に記載の方法。
【請求項６】
前記方法は、少なくとも１つの基地局によって実行されるステップであって、前記第１のリストにおいて特定されて前記移動端末が前記無線セルラー通信ネットワークにアクセスする際に経由するべき各基地局が使用可能でない場合に、前記基地局が前記移動端末に対して前記無線セルラー通信ネットワークへのアクセス権を与えることを示すメッセージを転送するステップをさらに含むことを特徴とする、請求項１〜４のいずれか一項に記載の方法。
【請求項７】
移動端末が複数の基地局を含む無線セルラー通信ネットワークにアクセスできるようにするための方法であって、
前記移動端末は、基地局を経由して前記無線セルラー通信ネットワークにアクセスするのを許されているが、他の基地局を経由して前記無線セルラー通信ネットワークにアクセスするのを許されておらず、
該方法は、前記移動端末によって実行されるステップであって、
−  前記移動端末が前記無線セルラー通信ネットワークにアクセスする際に経由するべき少なくとも１つの基地局によって転送され得る信号が受信されるか否かを調べるステップであって、該少なくとも１つの基地局は、前記移動端末が前記無線セルラー通信ネットワークにアクセスする際に経由するべき少なくとも１つの基地局を特定する第１のリストにおいて特定される、調べるステップと、
−  前記移動端末が前記無線セルラー通信ネットワークにアクセスする際に経由することができる少なくとも１つの基地局の第２のリストにおいて特定される少なくとも１つの基地局によって転送される信号を測定するステップと、
−  前記移動端末が前記無線セルラー通信ネットワークにアクセスする際に経由するべき前記第１のリストにおいて特定される少なくとも１つの基地局によって転送され得る前記信号が受信されない場合に、前記測定される信号を転送する前記第２のリストにおいて特定される１つの基地局に向けてメッセージを転送するステップであって、該メッセージは、該メッセージが転送された基地局を経由する前記無線セルラー通信ネットワークへのアクセス権を要求するものである、転送するステップと、
−  前記メッセージが転送された基地局を経由して前記無線セルラー通信ネットワークにアクセスするステップと
を含むことを特徴とする、移動端末が複数の基地局を含む無線セルラー通信ネットワークにアクセスできるようにするための方法。
【請求項８】
前記方法はさらに、前記無線セルラーネットワークにアクセスするのに先だって実行されるステップであって、前記メッセージが転送された基地局を経由して前記移動端末が前記無線セルラー通信ネットワークにアクセスできるようにするメッセージを受信するステップをさらに含むことを特徴とする、請求項７に記載の方法。
【請求項９】
前記方法は、前記移動端末が前記無線セルラー通信ネットワークにアクセスする際に経由することができる少なくとも１つの基地局の前記第２のリストを、前記移動端末によって決定するステップをさらに含むことを特徴とする、請求項７又は８に記載の方法。
【請求項１０】
前記第１のリストにおいて特定されて前記移動端末が前記無線セルラー通信ネットワークにアクセスする際に経由するべき各基地局が使用可能でない場合に、前記移動端末は、前記メッセージを転送する基地局を経由して該移動端末が前記無線セルラー通信ネットワークへのアクセス権を有することができることを示すメッセージを転送する各基地局を特定することによって、該移動端末が前記無線セルラー通信ネットワークにアクセスする際に経由することができる少なくとも１つの基地局の前記第２のリストを決定することを特徴とする、請求項９に記載の方法。
【請求項１１】
移動端末が複数の基地局を含む無線セルラー通信ネットワークにアクセスできるようにするための装置であって、
前記移動端末は、基地局を経由して前記無線セルラー通信ネットワークにアクセスするのを許されているが、他の基地局を経由して前記無線セルラー通信ネットワークにアクセスするのを許されておらず、
該装置は、
−  移動端末から該移動端末が前記無線セルラー通信ネットワークへアクセスする際に経由することを要求する１つの基地局に向けて転送されるメッセージの受信を検出する手段と、
−  前記移動端末が前記無線セルラー通信ネットワークにアクセスする際に経由することができる少なくとも１つの基地局の第１のリストにおいて、または、前記移動端末が前記無線セルラー通信ネットワークにアクセスする際に経由することができる少なくとも１つの基地局の第２のリストにおいて、前記メッセージを受信した基地局が特定されるか否かを判断する手段と、
−  前記メッセージを受信した基地局が前記第２のリストにおいて特定され、かつ、前記第１のリストにおいて特定されて前記移動端末が前記無線セルラー通信ネットワークにアクセスする際に経由するべき各基地局が使用可能でない場合に、前記メッセージを受信した基地局を経由する前記無線セルラー通信ネットワークへのアクセス権を前記移動端末に与える手段と、
−  前記メッセージを受信した基地局が前記第２のリストにおいて特定され、かつ、前記第１のリストにおいて特定されて前記移動端末が前記無線セルラー通信ネットワークにアクセスする際に経由するべき少なくとも１つの基地局が使用可能である場合に、前記メッセージを受信した基地局を経由する前記無線セルラー通信ネットワークへのアクセス権を前記移動端末に与えるのを拒否する手段と
を備えることを特徴とする、移動端末が複数の基地局を含む無線セルラー通信ネットワークにアクセスできるようにするための装置。
【請求項１２】
移動端末が複数の基地局を含む無線セルラー通信ネットワークにアクセスできるようにするための装置であって、
前記移動端末は、基地局を経由して前記無線セルラー通信ネットワークにアクセスするのを許されているが、他の基地局を経由して前記無線セルラー通信ネットワークにアクセスするのを許されておらず、
該装置は、前記移動端末に含まれ、
−  前記移動端末が前記無線セルラー通信ネットワークにアクセスする際に経由するべき少なくとも１つの基地局によって転送され得る信号が受信されるか否かを調べる手段であって、該少なくとも１つの基地局は、前記移動端末が前記無線セルラー通信ネットワークにアクセスする際に経由するべき少なくとも１つの基地局を特定する第１のリストにおいて特定される、調べる手段と、
−  前記移動端末が前記無線セルラー通信ネットワークにアクセスする際に経由することができる少なくとも１つの基地局の第２のリストにおいて特定される少なくとも１つの基地局によって転送される信号を測定する手段と、
−  前記移動端末が前記無線セルラー通信ネットワークにアクセスする際に経由するべき前記第１のリストにおいて特定される少なくとも１つの基地局によって転送され得る前記信号が受信されない場合に、前記測定される信号を転送する前記第２のリストにおいて特定される１つの基地局に向けてメッセージを転送する手段であって、該メッセージは、該メッセージが転送された基地局を経由する前記無線セルラー通信ネットワークへのアクセス権を要求するものである、転送する手段と、
−  前記メッセージが転送された基地局を経由して前記無線セルラー通信ネットワークにアクセスする手段と
を備えることを特徴とする、移動端末が複数の基地局を含む無線セルラー通信ネットワークにアクセスできるようにするための装置。
【請求項１３】
プログラム可能な装置に直接ロード可能とすることができるコンピュータプログラムであって、該コンピュータプログラムがプログラム可能な装置において実行されるときに請求項１〜６に記載される方法のステップを実施するための命令又はコードの一部を含む、コンピュータプログラム。
【請求項１４】
プログラム可能な装置に直接ロード可能とすることができるコンピュータプログラムであって、該コンピュータプログラムがプログラム可能な装置において実行されるときに請求項７〜１０に記載される方法のステップを実施するための命令又はコードの一部を含む、コンピュータプログラム。
【発明の詳細な説明】
【技術分野】
【０００１】
本発明は包括的には、移動端末が複数の基地局を含む無線セルラー通信ネットワークにアクセスできるようにするための方法及び装置に関する。
【背景技術】
【０００２】
無線セルラー通信ネットワークは広く配備されているが、無線セルラー通信ネットワークの基地局によって依然としてカバーされていないエリアがある。
【０００３】
たとえば、基地局によって放射される信号があまりにも大きく減衰する場合には、建物の中にある移動端末は、無線セルラー通信ネットワークにアクセスすることができない。
【０００４】
今日、複数の解決策が提案されている。ホーム基地局又はフェムト基地局のような特定の基地局が建物の中にサービスエリアを提供する。
【０００５】
これらのホーム基地局は、自身のサービス品質を維持するために、若しくは自身の端末に望ましいサービスを提供するために、或いはその両方のために、限られた数の移動端末だけがホーム基地局の各資源を経由して無線セルラー通信ネットワークにアクセスできるようにする。ネットワークの資源にアクセスすることを許される端末は、基地局の保有者、ネットワークの保有者、或いは両方の組み合わせによって決定することができる。
【０００６】
たとえば、ホーム基地局の保有者及びその家族の移動端末だけが、そのホーム基地局を経由して無線セルラー通信ネットワークにアクセスすることができる。これらの移動端末は、そのホーム基地局に関連付けられている。他の移動端末は、そのホーム基地局を経由して無線セルラー通信ネットワークにアクセスすることができない。それら他の移動端末は、そのホーム基地局に関連付けられていない。
【０００７】
ホーム基地局が使用可能（operational）でないとき、たとえば、ホーム基地局の電源が切られているか、ホーム基地局が壊れているか、或いは通信ネットワークから切断されているとき、そのホーム基地局に関連付けられている移動端末は、別のホーム基地局を経由して無線セルラー通信ネットワークにアクセスすることを許されていないので、別のホーム基地局を経由して無線セルラー通信ネットワークにアクセスすることはできない。
【０００８】
移動端末が別のホーム基地局を経由して無線セルラー通信ネットワークにアクセスしようと試みる場合、その移動端末と別のホーム基地局との間に関連付けがないので、無線セルラー通信ネットワークは、その端末を拒否する。
【発明の概要】
【発明が解決しようとする課題】
【０００９】
本発明は、ホーム基地局のような基地局に関連付けられている移動端末が、その移動端末が関連付けられている基地局が使用可能でない場合であっても、無線セルラー通信ネットワークにアクセスできるようにすることを目的とする。
【課題を解決するための手段】
【００１０】
その目的のために、本発明は、移動端末が複数の基地局を含む無線セルラー通信ネットワークにアクセスできるようにするための方法に関する。移動端末は基地局を経由して無線セルラー通信ネットワークにアクセスするのを許されているが、他の基地局を経由して無線セルラー通信ネットワークにアクセスするのを許されていない。
当該方法は、
−  移動端末からその移動端末が無線セルラー通信ネットワークにアクセスする際に経由することを要求する１つの基地局に向けて転送されるメッセージの受信を検出するステップと、
−  移動端末が無線セルラー通信ネットワークにアクセスする際に経由することができる少なくとも１つの基地局の第１のリストにおいて、または、移動端末が無線セルラー通信ネットワークにアクセスする際に経由することができる少なくとも１つの基地局の第２のリストにおいて、上記のメッセージを受信した基地局が特定されるか否かを判断するステップと、
−  上記のメッセージを受信した基地局が第２のリストにおいて特定され、かつ、第１のリストにおいて特定されて移動端末が無線セルラー通信ネットワークにアクセスする際に経由するべきである各基地局が使用可能でない場合に、上記のメッセージを受信した基地局を経由する無線セルラー通信ネットワークへのアクセス権を移動端末に与えるステップと、
−  上記のメッセージを受信した基地局が第２のリストにおいて特定され、かつ、第１のリストにおいて特定されて移動端末が無線セルラー通信ネットワークにアクセスする際に経由するべき少なくとも１つの基地局が使用可能である場合に、上記のメッセージを受信した基地局を経由する無線セルラー通信ネットワークへのアクセス権を移動端末に与えるのを拒否するステップと
を含むことを特徴とする。
【００１１】
また、本発明は、移動端末が複数の基地局を含む無線セルラー通信ネットワークにアクセスできるようにするための装置にも関する。移動端末は、基地局を経由して無線セルラー通信ネットワークにアクセスするのを許されているが、他の基地局を経由して無線セルラー通信ネットワークにアクセスするのを許されておらず、
当該装置は、
−  移動端末からその移動端末が無線セルラー通信ネットワークにアクセスする際に経由することを要求する１つの基地局に向けて転送されるメッセージの受信を検出する手段と、
−  移動端末が無線セルラー通信ネットワークにアクセスする際に経由することができる少なくとも１つの基地局の第１のリストにおいて、または、移動端末が無線セルラー通信ネットワークにアクセスする際に経由することができる少なくとも１つの基地局の第２のリストにおいて、上記のメッセージを受信した基地局が特定されるか否かを判断する手段と、
−  上記のメッセージを受信した基地局が第２のリストにおいて特定され、かつ、第１のリストにおいて特定されて移動端末が無線セルラー通信ネットワークにアクセスする際に経由するべきである各基地局が使用可能でない場合に、上記のメッセージを受信した基地局を経由する無線セルラー通信ネットワークへのアクセス権を移動端末に与える手段と、
−  上記のメッセージを受信した基地局が第２のリストにおいて特定され、かつ、第１のリストにおいて特定されて移動端末が無線セルラー通信ネットワークにアクセスする際に経由するべき少なくとも１つの基地局が使用可能である場合に、上記のメッセージを受信した基地局を経由する無線セルラー通信ネットワークへのアクセス権を移動端末に与えるのを拒否する手段と
を備えることを特徴とする。
【００１２】
したがって、移動端末が無線セルラー通信ネットワークにアクセスする際に経由するべき基地局が使用可能でない場合であっても、無線リンク品質が別の基地局と通信することを許す場合には、移動端末は無線セルラー通信ネットワークにアクセスすることができる。
【００１３】
さらに、移動端末が無線セルラー通信ネットワークにアクセスする際に経由するべき各基地局が使用可能でないときにのみ、上記のメッセージを受信した基地局の資源に移動端末がアクセスできるようにすることによって、上記のメッセージを受信した基地局を経由して無線セルラー通信ネットワークにアクセスするのが特定の条件に制限される。
【００１４】
特定の特徴によれば、第１のリストは複数の基地局を含み、上記の方法は、基地局によって受信される上記のメッセージの中から、使用可能でない少なくとも１つの基地局を特定する情報を読み出すことによって、または、上記のメッセージを受信した基地局と第１のリストにおいて特定される基地局との隣接を表す情報を用いることによって、移動端末が無線セルラー通信ネットワークにアクセスする際に経由するべきであるが使用可能でない、第１のリストにおける少なくとも１つの基地局を決定するステップをさらに含む。
【００１５】
したがって、アクセス権は選択的であり、移動端末が第１のリストにおいて特定されるが使用可能でない各基地局の近くに位置するときに、その移動端末は、第２のリストにおいて特定される基地局に対してのみアクセス権を取得する。
【００１６】
第２のリストの基地局へのアクセス権は、第１のリストにおいて特定される基地局で問題が検出されたときに有効にされる。
【００１７】
特定の特徴によれば、無線セルラー通信ネットワークは、コアネットワーク装置を含み、本発明は、コアネットワーク装置によって実行される。
【００１８】
したがって、基地局にかかる負担は制限され、ホーム基地局間の通信チャネルは不要である。
【００１９】
特定の特徴によれば、本発明は、上記のメッセージを受信する基地局によって実行される。
【００２０】
したがって、基地局間で負荷が分散され、コアネットワークへの影響は制限される。
【００２１】
特定の特徴によれば、上記の方法は、移動端末のために、その移動端末が無線セルラー通信ネットワークにアクセスする際に経由することができる少なくとも１つの基地局の第２のリストを決定するステップをさらに含み、当該第２のリストの決定ステップは、コアネットワーク装置又は第１のリストにおいて特定される少なくとも１つの基地局によって実行される。
【００２２】
したがって、各第２のリストは、移動端末に合わせて構成される。コアネットワーク装置又は第１のリストにおいて特定される少なくとも１つの基地局は、移動端末の信号が到達できる第１のリストの基地局の隣接局から第２のリストを決定することができる。
【００２３】
特定の特徴によれば、上記の方法は、少なくとも１つの基地局によって実行されるステップであって、第１のリストにおいて特定されて移動端末が無線セルラー通信ネットワークにアクセスする際に経由するべき各基地局が使用可能でない場合に、基地局が移動端末に対して無線セルラー通信ネットワークへのアクセス権を与えることを示すメッセージを転送するステップをさらに含む。
【００２４】
さらに別の態様によれば、本発明は、移動端末が複数の基地局を含む無線セルラー通信ネットワークにアクセスできるようにするための方法に関する。移動端末は、基地局を経由して無線セルラー通信ネットワークにアクセスするのを許されているが、他の基地局を経由して無線セルラー通信ネットワークにアクセスするのを許されていない。
当該方法は、移動端末によって実行されるステップであって、
−  移動端末が無線セルラー通信ネットワークにアクセスする際に経由するべきである少なくとも１つの基地局によって転送され得る信号が受信されるか否かを調べるステップであって、当該少なくとも１つの基地局は、移動端末が無線セルラー通信ネットワークにアクセスする際に経由するべき少なくとも１つの基地局を特定する第１のリストにおいて特定される、調べるステップと、
−  移動端末が無線セルラー通信ネットワークにアクセスする際に経由することができる少なくとも１つの基地局の第２のリストにおいて特定される少なくとも１つの基地局によって転送される信号を測定するステップと、
−  移動端末が無線セルラー通信ネットワークにアクセスする際に経由するべき第１のリストにおいて特定される少なくとも１つの基地局によって転送され得る信号が受信されない場合に、上記の測定される信号を転送する第２のリストにおいて特定される１つの基地局に向けてメッセージを転送するステップであって、当該メッセージは、当該メッセージが転送された基地局を経由する無線セルラー通信ネットワークへのアクセス権を要求するものである、転送するステップと、
−  上記のメッセージが転送された基地局を経由して無線セルラー通信ネットワークにアクセスするステップと
を含むことを特徴とする。
【００２５】
また、本発明は、移動端末が複数の基地局を含む無線セルラー通信ネットワークにアクセスできるようにするための装置にも関する。移動端末は、基地局を経由して無線セルラー通信ネットワークにアクセスするのを許されているが、他の基地局を経由して無線セルラー通信ネットワークにアクセスするのを許されていない。
当該装置は、移動端末に含まれ、
−  移動端末が無線セルラー通信ネットワークにアクセスする際に経由するべきである少なくとも１つの基地局によって転送され得る信号が受信されるか否かを調べる手段であって、当該少なくとも１つの基地局は、移動端末が無線セルラー通信ネットワークにアクセスする際に経由するべき少なくとも１つの基地局を特定する第１のリストにおいて特定される、調べる手段と、
−  移動端末が無線セルラー通信ネットワークにアクセスする際に経由することができる少なくとも１つの基地局の第２のリストにおいて特定される少なくとも１つの基地局によって転送される信号を測定する手段と、
−  移動端末が無線セルラー通信ネットワークにアクセスする際に経由するべき第１のリストにおいて特定される少なくとも１つの基地局によって転送され得る信号が受信されない場合に、上記の測定される信号を転送する第２のリストにおいて特定される１つの基地局に向けてメッセージを転送する手段であって、当該メッセージは、当該メッセージが転送される基地局を経由する無線セルラー通信ネットワークへのアクセス権を要求するものである、転送する手段と、
−  上記のメッセージが転送された基地局を経由して無線セルラー通信ネットワークにアクセスする手段と
を備えることを特徴とする。
【００２６】
したがって、移動端末が無線セルラー通信ネットワークにアクセスする際に経由するべき少なくとも１つの基地局が使用可能でない場合であっても、移動端末は無線セルラー通信ネットワークにアクセスすることができる。
【００２７】
特定の特徴によれば、上記の方法はさらに、無線セルラーネットワークにアクセスするのに先だって実行されるステップであって、上記のメッセージが転送された基地局を経由して移動端末が無線セルラー通信ネットワークにアクセスできるようにするメッセージを受信するステップをさらに含む。
【００２８】
特定の特徴によれば、上記の方法は、移動端末が無線セルラー通信ネットワークにアクセスする際に経由することができる少なくとも１つの基地局の第２のリストを、その移動端末によって決定するステップをさらに含む。
【００２９】
特定の特徴によれば、第１のリストにおいて特定されて移動端末が無線セルラー通信ネットワークにアクセスする際に経由するべき各基地局が使用可能でない場合に、移動端末は、上記のメッセージを転送する基地局を経由してその移動端末が無線セルラー通信ネットワークへのアクセス権を有することができることを示すメッセージを転送する各基地局を特定することによって、その移動端末が無線セルラー通信ネットワークにアクセスする際に経由することができる少なくとも１つの基地局の第２のリストを決定する。
【００３０】
さらに別の態様によれば、本発明は、プログラム可能な装置に直接ロード可能とすることができるコンピュータプログラムであって、当該コンピュータプログラムがプログラム可能な装置において実行されるときに本発明による方法のステップを実施するための命令又はコードの一部を含む、コンピュータプログラムに関する。
【００３１】
コンピュータプログラムに関連する特徴及び利点は、本発明による方法及び装置に関係付けて上記で記載したものと同じであるので、ここでは繰り返さない。
【００３２】
本発明の特徴は、一例の実施形態の以下の説明を読むことからさらに明らかになるはずであり、この説明は添付の図面を参照しながら提示される。
【図面の簡単な説明】
【００３３】
【図１】本発明が実施される無線セルラー通信ネットワークを表す図である。
【図２】本発明が実施される移動端末のアーキテクチャを表す図である。
【図３】本発明が実施されるコアネットワーク装置のアーキテクチャを表す図である。
【図４】本発明が実施される基地局のアーキテクチャを表す図である。
【図５】本発明による、無線セルラー通信ネットワークにアクセスしようと試みるために移動端末によって実行されるアルゴリズムの一例を開示する図である。
【図６ａ】本発明による、移動端末が無線セルラー通信ネットワークにアクセスできるか否かを調べるためにコアネットワーク装置によって実行されるアルゴリズムの一例を開示する図である。
【図６ｂ】本発明による、移動端末が無線セルラー通信ネットワークにアクセスできるか否かを調べるために基地局によって実行されるアルゴリズムの一例を開示する図である。
【図７】本発明による、少なくとも１つの基地局の第２のリストを決定するために基地局によって実行されるアルゴリズムの一例を開示する図である。
【図８】本発明による、少なくとも１つの基地局の第２のリストを決定するためにコアネットワーク装置によって実行されるアルゴリズムの一例を開示する図である。
【図９】本発明による、少なくとも１つの基地局の第２のリストを決定するために移動端末によって実行されるアルゴリズムの一例を開示する図である。
【発明を実施するための形態】
【００３４】
図１は、本発明が実施される無線セルラー通信ネットワークを表す。
【００３５】
図１では、無線セルラー通信ネットワークにおける３つの基地局ＢＳ１、ＢＳ２、及びＢＳ３が示されている。
【００３６】
これらの基地局ＢＳは、たとえばフェムト基地局ＢＳである。フェムト基地局は、たとえば住宅内に配置され、フェムト基地局ＢＳの資源を使用することを許されている移動端末ＭＴが無線セルラー通信ネットワークにアクセスできるようにする。フェムト基地局ＢＳは、ホーム基地局ＢＳと呼ばれる場合もある。
【００３７】
従来は、フェムト基地局ＢＳの所有者の移動端末ＭＴのみが、無線セルラー通信ネットワークにアクセスするために、そのフェムト基地局ＢＳの資源を使用することを許されている。
【００３８】
基地局ＢＳは、たとえば、ピコ基地局或いはマイクロ基地局とすることもできる。
【００３９】
基地局と、その基地局ＢＳを経由して無線セルラー通信ネットワークにアクセスすることを許されている移動端末ＭＴとは、関連付けられている。
【００４０】
フェムト基地局ＢＳの所有者の家族又は友人に属する移動端末ＭＴも、無線セルラー通信ネットワークにアクセスするために、そのフェムト基地局ＢＳの資源を使用することを許されていてもよい。
【００４１】
他の移動端末は、無線セルラー通信ネットワークにアクセスするために、そのフェムト基地局ＢＳの資源を使用することを許されていない。そのフェムト基地局ＢＳを経由して無線セルラー通信ネットワークにアクセスすることを許されていない移動端末ＭＴは、そのフェムト基地局ＢＳに関連付けられていない。
【００４２】
基地局ＢＳ１が使用可能（operational）でないとき、たとえば、基地局ＢＳ１の電源が切られているか、壊れているか、基地局ＢＳ１が信号を転送しない動作モードにあるか、或いは通信ネットワークから切断されているとき、移動端末ＭＴは、別の基地局ＢＳ２及びＢＳ３を経由して無線セルラー通信ネットワークにアクセスすることを許されていないので、基地局ＢＳ２又はＢＳ３を経由して無線セルラー通信ネットワークにアクセスすることはできない。
【００４３】
本発明によれば、各移動端末ＭＴは、その移動端末ＭＴが無線セルラー通信ネットワークにアクセスする際に経由することができる、少なくとも１つの基地局ＢＳの第１のリスト及び第２のリストを有する。
【００４４】
少なくとも１つの基地局ＢＳの第１のリストは、無線セルラー通信ネットワークにアクセスするために移動端末ＭＴが優先して使用しなければならない１つ又は複数の基地局ＢＳを特定するリストである。少なくとも１つの基地局ＢＳの第１のリストは、移動端末ＭＴに関連付けられている１つ又は複数の基地局ＢＳを特定する。
【００４５】
少なくとも１つの基地局ＢＳの第２のリストは、移動端末ＭＴが第１のリストにおいて特定される任意の基地局ＢＳを経由して無線セルラー通信ネットワークにアクセスすることができない場合に、無線セルラー通信ネットワークにアクセスするためにその移動端末ＭＴが使用しなければならない１つ又は複数の基地局ＢＳを特定するリストである。
【００４６】
基地局ＢＳ１はエリアＡＲ１内に配置されており、移動端末ＭＴは、基地局ＢＳ１の資源を経由して無線セルラー通信ネットワークにアクセスすることができる。基地局ＢＳ１は、移動端末ＭＴの第１のリストにおいて特定される。移動端末ＭＴは、基地局ＢＳ１に関連付けられている。たとえば、基地局ＢＳ１及び移動端末ＭＴは、同じ所有者に属する。
【００４７】
基地局ＢＳ２は、エリアＡＲ２内に配置されている。移動端末ＭＴは、基地局ＢＳ１が使用可能でない場合には、基地局ＢＳ２の資源を経由して無線セルラー通信ネットワークにアクセスすることができる。基地局ＢＳ２は、移動端末ＭＴの第２のリストにおいて特定される。
【００４８】
基地局ＢＳ３は、エリアＡＲ３内に配置されている。移動端末ＭＴは、基地局ＢＳ３の資源を経由して無線セルラー通信ネットワークにアクセスすることはできない。基地局ＢＳ３は、移動端末ＭＴの第１のリスト又は第２のリストにおいて特定されない。
【００４９】
基地局ＢＳ１によって転送される信号は、エリアＡＲ１、ＡＲ２、又はＡＲ３内に位置する任意の移動端末ＭＴによって受信される。基地局ＢＳ２によって転送される信号は、エリアＡＲ１、ＡＲ２、又はＡＲ３内に位置する任意の移動端末ＭＴによって受信される。基地局ＢＳ３によって転送される信号は、エリアＡＲ１、ＡＲ２、又はＡＲ３内に位置する任意の移動端末ＭＴによって受信される。
【００５０】
たとえば、基地局ＢＳ２によって転送されて移動端末ＭＴによって測定される信号は、基地局ＢＳ３によって転送されて移動端末ＭＴによって測定される信号よりも高い電力レベルを有する。
【００５１】
エリアＡＲ１〜ＡＲ３は、たとえば建物内の部屋である。
【００５２】
移動端末ＭＴは、基地局ＢＳ１、ＢＳ２、及びＢＳ３によって転送される信号を受信することができる。
【００５３】
各基地局ＢＳ１〜ＢＳ３は、図１には示されていない通信ネットワークを通じて、無線セルラー通信ネットワークのコアネットワーク装置ＣＮに接続されている。
【００５４】
基地局ＢＳ１は、通信ネットワーク上に確立されるリンクＳ１1を通じて、コアネットワーク装置ＣＮにリンクされる。
【００５５】
基地局ＢＳ２は、通信ネットワーク上に確立されるリンクＳ１2を通じて、コアネットワーク装置ＣＮにリンクされる。
【００５６】
基地局ＢＳ３は、通信ネットワーク上に確立されるリンクＳ１3を通じて、コアネットワーク装置ＣＮにリンクされる。
【００５７】
基地局ＢＳ１は、通信ネットワーク上に確立されるリンクＸ２12を通じて、基地局ＢＳ２にリンクされてもよい。
【００５８】
基地局ＢＳ１は、通信ネットワーク上に確立されるリンクＸ２13を通じて、基地局ＢＳ３にリンクされてもよい。
【００５９】
基地局ＢＳ２は、通信ネットワーク上に確立されるリンクＸ２23を通じて、基地局ＢＳ３にリンクされてもよい。
【００６０】
本発明によれば、各移動端末ＭＴについて、第１のリスト及び第２のリストが決定される。
【００６１】
本発明によれば、各基地局ＢＳ又はコアネットワーク装置は、
−  移動端末からその移動端末が無線セルラー通信ネットワークにアクセスする際に経由することを要求する基地局に向けて転送されるメッセージの受信を検出し、
−  移動端末が無線セルラー通信ネットワークにアクセスする際に経由することができる少なくとも１つの基地局の第１のリストにおいて、または、移動端末が無線セルラー通信ネットワークにアクセスする際に経由することができる少なくとも１つの基地局の第２のリストにおいて、上記のメッセージを受信した基地局が特定されるか否かを判断し、
上記のメッセージを受信した基地局が第２のリストにおいて特定され、かつ、第１のリストにおいて特定されて移動端末が無線セルラー通信ネットワークにアクセスする際に経由するべき各基地局が使用可能でない場合に、上記のメッセージを受信した基地局を経由する無線セルラー通信ネットワークへのアクセス権を移動端末に与え、
上記のメッセージを受信した基地局が第２のリストにおいて特定され、かつ、第１のリストにおいて特定されて移動端末が無線セルラー通信ネットワークにアクセスする際に経由するべき少なくとも１つの基地局が使用可能である場合に、上記のメッセージを受信した基地局を経由する無線セルラー通信ネットワークへのアクセス権を移動端末に与えるのを拒否する。
【００６２】
移動端末ＭＴが無線セルラー通信ネットワークにアクセスする際に経由するべき基地局ＢＳは、移動端末ＭＴの近くに位置する基地局ＢＳである。
【００６３】
ここで、本発明の特定の実現形態では、第２のリストは、第１のリストにおいて特定されて移動端末が無線セルラー通信ネットワークにアクセスする際に経由するべき各基地局ＢＳが使用可能でない場合に、移動端末ＭＴが自身の資源を経由して無線セルラー通信ネットワークにアクセスすることを許す基地局によって転送されるメッセージを収集することによって、移動端末によって形成されることに留意されたい。
【００６４】
これらの基地局ＢＳによって転送されるメッセージは、移動端末ＭＴに向けて転送されてもよいし、或いは、移動端末ＭＴの第１のリストにおいて特定される基地局ＢＳに向けて転送されてもよいし、或いは、コアネットワーク装置ＣＮに向けて転送されてもよい。
【００６５】
移動端末ＭＴに向けて転送されるメッセージは、たとえば、これらの基地局ＢＳのブロードキャストチャネル内のフラグを通じてシグナリングされてもよい。
【００６６】
移動端末ＭＴが無線セルラー通信ネットワークにアクセスしているとき、その移動端末ＭＴは、遠隔通信装置との通信を確立又は受信することができ、かつ／又は、データをダウンロードすることができ、かつ／又は、自身の少なくとも１つの基地局の第１のリストにおいて特定される基地局ＢＳが使用可能でないことをコアネットワーク装置ＣＮに通知することができ、かつ／又は、使用可能でない基地局ＢＳを起動するようにコアネットワーク装置ＣＮに要求することができる。
【００６７】
基地局ＢＳを特定する情報は、無線セルラー通信ネットワークの全ての基地局ＢＳの中からその基地局ＢＳを一意に特定することができるか、または、無線セルラー通信ネットワークの限られた数の基地局ＢＳ、たとえば所与のエリア内に位置する基地局ＢＳの中からその基地局ＢＳを一意に特定することができる。
【００６８】
図２は、本発明が実施される移動端末のアーキテクチャを表す図である。
【００６９】
移動端末ＭＴは、たとえば、バス２０１によって互いに接続される構成要素と、図５及び図９に開示されるようなプログラムによって制御されるプロセッサ２００とに基づくアーキテクチャを有している。
【００７０】
バス２０１は、プロセッサ２００を、読出し専用メモリＲＯＭ２０２、ランダムアクセスメモリＲＡＭ２０３、及び無線インターフェース２０５にリンクする。
【００７１】
メモリ２０３は、図５及び図９に開示されるようなプログラムの変数及び命令を受信するように意図されるレジスタを含む。
【００７２】
メモリ２０３は、本発明による第１のリスト及び第２のリストを記憶する。
【００７３】
メモリ２０３は、移動端末ＭＴの第１のリストにおいて特定される基地局ＢＳの位置を表す情報を記憶してもよい。
【００７４】
メモリ２０３は、移動端末ＭＴの第１のリストにおいて特定される基地局ＢＳの隣接条件を表す情報を記憶してもよい。
【００７５】
プロセッサ２００は、無線インターフェース２０５の動作を制御する。
【００７６】
読出し専用メモリ２０２は、図５及び図９において開示されるようなプログラムの命令を含み、それらの命令は、移動端末ＭＴが起動される際にランダムアクセスメモリ２０３に転送される。
【００７７】
移動端末ＭＴは、無線インターフェース２０５によって、基地局ＢＳに信号又はメッセージを転送し、かつ／又は、基地局ＢＳから信号又はメッセージを受信することができる。
【００７８】
無線インターフェース２０５は、基地局ＢＳによって転送される信号を測定又は検出する手段を備えている。
【００７９】
移動端末は、図２に示されていない全地球測位システムモジュールのような、全地球的航法衛星システムモジュールを備えていてもよい。
【００８０】
図３は、本発明が実施されるコアネットワーク装置のアーキテクチャを表す図である。
【００８１】
コアネットワーク装置ＣＮは、たとえば、バス３０１によって互いに接続される構成要素と、図６ａ及び図８に開示されるようなプログラムによって制御されるプロセッサ３００とに基づくアーキテクチャを有している。
【００８２】
バス３０１は、プロセッサ３００を、読出し専用メモリＲＯＭ３０２、ランダムアクセスメモリＲＡＭ３０３、及びネットワークインターフェース３０６にリンクする。
【００８３】
メモリ３０３は、図６ａ及び図８に開示されるようなアルゴリズムに関連するプログラムの変数及び命令を受信するように意図されるレジスタを含む。
【００８４】
メモリ３０３は、各移動端末ＭＴごとの第１のリスト及び第２のリストを含むことができる。
【００８５】
メモリ３０３は、基地局ＢＳの隣接条件を表す情報を含んでもよい。
【００８６】
プロセッサ３００は、ネットワークインターフェース３０６の動作を制御する。
【００８７】
読出し専用メモリ３０２は、図６a及び図８において開示されるようなアルゴリズムに関連するプログラムの命令を含み、それらの命令は、コアネットワーク装置ＣＮが起動される際にランダムアクセスメモリ３０３に転送される。
【００８８】
コアネットワーク装置ＣＮは、ネットワークインターフェース３０６を通じて、図１には示されていない通信ネットワークに接続することができる。たとえば、ネットワークインターフェース３０６は、ＤＳＬ（デジタル加入者線）モデム、或いはＩＳＤＮ（統合サービスデジタル網）インターフェース等である。コアネットワーク装置ＣＮは、ネットワークインターフェース３０６を通じて、少なくとも１つの基地局ＢＳへのメッセージを転送又は受信することができる。
【００８９】
メッセージは、コアネットワーク装置ＣＮと基地局ＢＳとの間の通信ネットワーク上に確立されるリンクＳ１を通じて転送される。
【００９０】
図４は、本発明が実施される基地局のアーキテクチャを表す図である。
【００９１】
基地局ＢＳは、たとえば、バス４０１によって互いに接続される構成要素と、図６ｂ又は図７に開示されるようなプログラムによって制御されるプロセッサ４００とに基づくアーキテクチャを有している。
【００９２】
バス４０１は、プロセッサ４００を、読出し専用メモリＲＯＭ４０２、ランダムアクセスメモリＲＡＭ４０３、無線インターフェース４０５、及びネットワークインターフェース４０６にリンクする。
【００９３】
メモリ４０３は、図６ｂ又は図７に開示されるようなアルゴリズムに関連するプログラムの変数及び命令を受信するように意図されるレジスタを含む。
【００９４】
メモリ４０３は、自身がその第２のリストにおいて特定される各移動端末ＭＴの、第１のリストにおいて特定される各基地局ＢＳを特定する情報を含んでもよい。
【００９５】
メモリ４０３は、基地局ＢＳの隣接条件を表す情報を含んでもよい。
【００９６】
プロセッサ４００は、ネットワークインターフェース４０６及び無線インターフェース４０５の動作を制御する。
【００９７】
読出し専用メモリ４０２は、図６ｂ又は図７において開示されるようなアルゴリズムに関連するプログラムの命令を含み、それらの命令は、基地局ＢＳが起動される際にランダムアクセスメモリ４０３に転送される。
【００９８】
基地局ＢＳは、ネットワークインターフェース４０６を通じて、通信ネットワークに接続されることができる。たとえば、ネットワークインターフェース４０６は、ＤＳＬ（デジタル加入者線）モデム、或いはＩＳＤＮ（統合サービスデジタル網）インターフェース等である。基地局は、ネットワークインターフェース４０６を通じて、コアネットワーク装置ＣＮ又は他の基地局ＢＳにメッセージを転送することができ、または、他の基地局ＢＳ又はコアネットワーク装置ＣＮからメッセージを受信することができる。
【００９９】
それらのメッセージは、通信ネットワーク上において基地局ＢＳとコアネットワーク装置ＣＮとの間又は基地局ＢＳと他の基地局ＢＳとの間に確立されるリンクＳ１又はＸ２を通じて転送される。
【０１００】
ネットワークインターフェース４０６は、移動端末ＭＴの第１のリストにおいて特定されてその移動端末ＭＴが無線セルラー通信ネットワークにアクセスする際に経由するべき各基地局が使用可能でない場合に、その移動端末が基地局ＢＳの資源を経由して無線セルラー通信ネットワークにアクセスできるようにするメッセージを転送する手段を備えている。
【０１０１】
無線インターフェース４０５及びネットワークインターフェース４０６は、移動端末ＭＴが遠隔通信装置との通信を確立又は受信する際に、無線通信ネットワークにアクセスするために移動端末ＭＴによって使用される基地局ＢＳの資源である。
【０１０２】
無線インターフェース４０５は、移動端末ＭＴの第１のリストにおいて特定されてその移動端末が無線セルラー通信ネットワークにアクセスする際に経由するべき各基地局ＢＳが使用可能でない場合に、その移動端末が基地局ＢＳの資源を経由して無線セルラー通信ネットワークにアクセスできるようにするメッセージを転送する手段を備えている。
【０１０３】
これらのメッセージは、たとえば、これらの基地局ＢＳのブロードキャストチャネル内のフラグを通じてシグナリングされてもよい。
【０１０４】
図５は、本発明による、無線セルラー通信ネットワークへのアクセスを試みるために、移動端末によって実行されるアルゴリズムの一例を開示する。
【０１０５】
より厳密には、本アルゴリズムは移動端末ＭＴのプロセッサ２００によって実行される。
【０１０６】
ステップＳ５００において、プロセッサ２００は、移動端末ＭＴが無線セルラー通信ネットワークにアクセスする際に経由することを許されている少なくとも１つの基地局ＢＳの第１のリストを取得する。移動端末ＭＴが無線セルラー通信ネットワークにアクセスする際に経由することを許されている少なくとも１つの基地局ＢＳの第１のリストは、たとえば、ＲＡＭメモリ２０３に記憶される。
【０１０７】
少なくとも１つの基地局ＢＳの第１のリストは、基地局ＢＳの少なくとも１つの識別子を含み、かつ／又は、移動端末ＭＴが少なくとも１つの基地局ＢＳによって転送される信号に同期できるようにする情報を含む。
【０１０８】
次のステップＳ５０１において、プロセッサ２００は、無線インターフェース２０５に対して、第１のリストにおいて特定される少なくとも１つの基地局ＢＳによって転送され得る信号の測定に進むように指示する。言い換えると、無線インターフェース２０５は、基地局ＢＳ１が使用可能であるか否か、すなわち信号を転送しているか否かを検出する。
【０１０９】
次のステップＳ５０２において、プロセッサ２００は、第１のリストにおいて特定される少なくとも１つの基地局によって転送され得る信号が、所定の閾値よりも高いか否かを調べる。言い換えると、プロセッサ２００は、第１のリストにおいて特定される基地局ＢＳ１によって転送され得る信号を検出できるか否かを調べる。
【０１１０】
第１のリストが１つの基地局ＢＳを含む場合には、無線インターフェース２０５は、その基地局ＢＳが信号を転送しているか否かを調べる。
【０１１１】
少なくとも１つの基地局ＢＳのリストが複数の基地局ＢＳを含む場合には、無線インターフェース２０５は、第１のリストに含まれる各基地局ＢＳによって転送される信号、及び第１のリストに含まれる各基地局ＢＳの隣接局である各基地局ＢＳによって転送される信号を測定する。移動端末ＭＴは、第１のリストにおいて特定される基地局ＢＳの隣接基地局ＢＳによって転送される信号を測定することによって、自身の位置及び自身が第１のリストにおいて特定されるどの基地局ＢＳに近いかを確定することができる。
【０１１２】
１つの変形形態では、無線インターフェース２０５は、第１のリスト内に含まれると共に移動端末ＭＴの位置から最も近い基地局ＢＳによって転送される各信号を測定する。移動端末ＭＴの位置は、たとえば、ＧＮＳＳ或いは無線指紋（radio finger print）のようなジオロケーション技法によって決定される。
【０１１３】
無線指紋は、所与の位置において受信される無線信号を特徴付ける。無線指紋は、基地局識別子のリスト、或いは、ある位置において受信される信号に関する測定結果であってもよい。指紋をデータベース内に記憶されている指紋と比較することによって、移動端末ＭＴの位置を確定することができる。
【０１１４】
第１のリストにおいて特定される１つの基地局ＢＳによって転送される信号が、所定の閾値よりも高い場合には、プロセッサ２００はステップＳ５０３に進む。そして、その基地局ＢＳを、移動端末ＭＴが無線セルラー通信ネットワークにアクセスする際に経由することができる基地局、すなわち、通信を確立又は受信する際に経由することができる基地局ＢＳとして選択する。
【０１１５】
その後、プロセッサ２００は本アルゴリズムを中断する。
【０１１６】
移動端末ＭＴが第１のリストにおいて特定される基地局ＢＳ１に近く、かつ、基地局ＢＳ１によって転送される信号が所定の閾値よりも低い場合には、基地局ＢＳ１が使用可能でないことを意味しており、プロセッサ２００はステップＳ５０４に進む。
【０１１７】
ステップＳ５０４において、プロセッサ２００は、第１のリストにおいて特定されて移動端末ＭＴが無線セルラー通信ネットワークにアクセスする際に経由するべき基地局ＢＳ１が使用可能でない場合に、その移動端末ＭＴが無線セルラー通信ネットワークにアクセスする際に経由することができる少なくとも１つの基地局ＢＳの第２のリストを取得する。第２のリストは、たとえば、ＲＡＭメモリ２０３に記憶される。
【０１１８】
次のステップＳ５０５において、プロセッサ２００は、無線インターフェース２０５に対して、第２のリストにおいて特定される少なくとも１つの基地局ＢＳによって転送され得る信号の測定に進むように指示する。
【０１１９】
１つの変形形態では、ステップＳ５０１とＳ５０５とは同時に実行される。その変形形態によれば、プロセッサ２００は、無線インターフェース２０５に対して、任意の基地局ＢＳによって転送され得る信号の測定に進むように指示する。
【０１２０】
それらの測定から、プロセッサ２００はステップＳ５０２において、第１のリストにおいて特定されて所定の閾値よりも高いレベルで測定される信号を転送する、少なくとも１つの基地局ＢＳが存在するか否かを判断する。
【０１２１】
第１のリストにおいて特定されて所定の閾値よりも高いレベルで測定される信号を転送する、１つの基地局ＢＳが存在する場合には、プロセッサ２００はステップＳ５０３に進む。
【０１２２】
そうでない場合には、プロセッサ２００はステップＳ５０６に進む。
【０１２３】
次のステップＳ５０６において、プロセッサ２００は、第２のリストにおいて特定される基地局ＢＳを選択する。
【０１２４】
プロセッサ２００は、たとえば、第２のリストにおいて特定されてると共に、測定される信号の中で移動端末ＭＴによって最も高い電力強度で受信される信号を転送する基地局ＢＳ２を選択し、かつ／又は、第２のリストにおいて特定されると共に、最も低い動作負荷（working load）を有する基地局ＢＳを選択し、かつ／又は、第２のリストにおいて特定されると共に、移動端末ＭＴによって最も高い品質で受信される信号を転送する基地局ＢＳを選択する。
【０１２５】
次のステップＳ５０７において、プロセッサ２００は、選択された基地局ＢＳ２に向けてメッセージを転送するように指示する。
【０１２６】
そのメッセージは、無線セルラー通信ネットワークにアクセスするために基地局ＢＳ２の資源を使用する権利を取得するための要求を表す。
【０１２７】
そのメッセージは、移動端末ＭＴが無線セルラー通信ネットワークにアクセスする際に経由することができる基地局ＢＳ１が存在しないことの通知を表してもよい。
【０１２８】
そのメッセージは、第１のリストにおいて特定されて移動端末ＭＴが無線セルラー通信ネットワークにアクセスする際に経由することができる基地局ＢＳ１が使用可能でないという事実を通知するメッセージであってもよい。
【０１２９】
そのメッセージは、使用可能でない基地局ＢＳ１を特定できるようにする情報を含んでもよいし、含まなくてもよい。
【０１３０】
次のステップＳ５０８において、プロセッサ２００は、ステップＳ５０７において転送されたメッセージに応答して、無線セルラー通信ネットワークにアクセスするために移動端末ＭＴが基地局ＢＳ２の資源を使用することを許可するメッセージが受信されるか否かを調べる。
【０１３１】
無線セルラー通信ネットワークにアクセスするために移動端末ＭＴが基地局ＢＳ２の資源の使用すること許可するメッセージが受信される場合には、プロセッサ２００はステップＳ５０９に進む。そうでない場合には、プロセッサ２００は本アルゴリズムを中断する。
【０１３２】
ステップＳ５０９において、基地局ＢＳ２が選択される。選択された基地局ＢＳ２は、移動端末ＭＴが無線セルラー通信ネットワークにアクセスする際に経由することができる基地局ＢＳである。
【０１３３】
移動端末ＭＴは、基地局ＢＳ２を経由して、遠隔通信装置との通信を確立又は受信することができ、かつ／又は、データをダウンロードすることができ、かつ／又は、自身の少なくとも１つの基地局の第１のリストにおいて特定される基地局ＢＳ１が使用可能でないことをコアネットワーク装置ＣＮに通知することができ、かつ／又は、使用可能でない基地局ＢＳ１を起動するようにコアネットワーク装置ＣＮに要求することができる。
【０１３４】
図６ａは、本発明による、移動端末ＭＴが無線セルラー通信ネットワークにアクセスすることができるか否かを調べるために、コアネットワーク装置によって実行されるアルゴリズムの一例を開示する。
【０１３５】
より厳密には、本アルゴリズムは、コアネットワーク装置ＣＮのプロセッサ３００によって実行される。
【０１３６】
ステップＳ６００において、プロセッサ３００は、基地局ＢＳによって転送されたメッセージの受信を検出する。
【０１３７】
そのメッセージは、図５のステップＳ５０７において移動端末ＭＴによって転送されたメッセージに応答して、基地局ＢＳによって転送されたものである。
【０１３８】
図５を参照して与えられる例によれば、そのメッセージは基地局ＢＳ２によって転送されたものである。
【０１３９】
そのメッセージは、移動端末ＭＴが無線セルラー通信ネットワークにアクセスできるようにするために、基地局ＢＳ２の資源を使用する権利を取得するための要求を表してもよい。
【０１４０】
そのメッセージは、移動端末ＭＴが無線セルラー通信ネットワークにアクセスする際に経由することを許されている基地局ＢＳ１が存在しないことの通知を表してもよい。
【０１４１】
そのメッセージは、移動端末ＭＴの第１のリストにおいて特定される基地局ＢＳ１が使用可能でない事実を通知するメッセージであってもよい。
【０１４２】
そのメッセージは、使用可能でない基地局ＢＳ１を特定できるようにする情報を含んでもよいし、含まなくてもよい。
【０１４３】
次のステップＳ６０１において、プロセッサ３００は、ステップＳ６００において受信されたメッセージを転送した基地局ＢＳが、図５のステップＳ５０７においてメッセージを送信した移動端末ＭＴが無線セルラー通信ネットワークにアクセスする際に経由することを許されている少なくとも１つの基地局ＢＳの第１のリストにおいて特定されるか否かを調べる。
【０１４４】
ステップＳ６００において受信されたメッセージを転送した基地局ＢＳが、第１のリストにおいて特定される場合には、プロセッサ３００はステップＳ６０２に進む。そうでない場合には、プロセッサ３００はステップＳ６０３に進む。
【０１４５】
ステップＳ６０２において、プロセッサ３００は、無線セルラー通信ネットワークにアクセスするために基地局ＢＳ１の資源を使用するアクセス権を移動端末ＭＴに与える。
【０１４６】
移動端末ＭＴは、基地局ＢＳ２を経由して、遠隔通信装置との通信を確立又は受信することができ、かつ／又は、データをダウンロードすることができ、かつ／又は、自身の少なくとも１つの基地局の第１のリストにおいて特定される基地局ＢＳ１が使用可能でないことをコアネットワーク装置ＣＮに通知することができ、かつ／又は、使用可能でない基地局ＢＳ１を起動するようにコアネットワーク装置ＣＮに要求することができる。
【０１４７】
その後、プロセッサ３００は本アルゴリズムを中断する。
【０１４８】
次のステップＳ６０３において、プロセッサ３００は、ステップＳ６００において受信されたメッセージを転送した基地局ＢＳが、図５のステップＳ５０７においてメッセージを送信した移動端末ＭＴの第２のリストにおいて特定されるか否かを調べる。
【０１４９】
ステップＳ６００において受信されたメッセージを転送した基地局ＢＳが第２のリストにおいて特定されない場合には、プロセッサ３００はステップＳ６０７に進む。
【０１５０】
ステップＳ６０７において、プロセッサ３００は、移動端末ＭＴがステップＳ６００において受信されたメッセージを送信した基地局ＢＳを経由して無線セルラー通信ネットワークにアクセスする権利を与えるのを拒否する。
【０１５１】
次のステップＳ６０８において、プロセッサ３００は、ステップＳ６００において受信されたメッセージを転送した基地局ＢＳ２に向けてメッセージを転送するように指示する。
【０１５２】
そのメッセージは、無線セルラー通信ネットワークにアクセスするために、基地局ＢＳ２の資源を使用する権利を移動端末ＭＴに与えるのを拒否することを表す。
【０１５３】
その後、プロセッサ３００は本アルゴリズムを中断する。
【０１５４】
ステップＳ６００において受信されたメッセージを転送した基地局ＢＳが移動端末ＭＴの第２のリストにおいて特定される場合には、プロセッサ３００はステップＳ６０４に進む。
【０１５５】
ステップＳ６０４において、プロセッサ３００は、移動端末ＭＴの第１のリストにおいて特定される基地局ＢＳ１が使用可能であるか否かを調べる。
【０１５６】
移動端末ＭＴの第１のリストにおいて特定される基地局ＢＳ１は、受信されたメッセージにおいて特定されてもよい。
【０１５７】
プロセッサ３００は、移動端末ＭＴが無線セルラー通信ネットワークにアクセスする際に経由することを許されている少なくとも１つの基地局ＢＳのリストの中から、ステップＳ６００において受信されたメッセージを転送した基地局ＢＳ２の隣接局である基地局ＢＳ１を選択することによって、移動端末ＭＴが無線セルラー通信ネットワークにアクセスする際に経由することを許されている基地局ＢＳ１を特定することができる。
【０１５８】
プロセッサ３００は、基地局ＢＳがコアネットワーク装置ＣＮによって転送されるメッセージ又は信号に応答するか否かを調べることによって、移動端末ＭＴが無線セルラー通信ネットワークにアクセスする際に経由することを許されている基地局ＢＳ１が使用可能であるか否かを調べることができる。
【０１５９】
プロセッサ３００は、基地局ＢＳ１とコアネットワーク装置ＣＮとの間のリンクＳ１1が使用可能であるか否かを調べることによって、移動端末ＭＴが無線セルラー通信ネットワークにアクセスする際に経由することを許されている基地局ＢＳ１が使用可能であるか否かを調べてもよい。
【０１６０】
プロセッサ３００は、基地局ＢＳ１と隣接基地局ＢＳ２との間のリンクＸ２12、及び基地局ＢＳ１と隣接基地局ＢＳ３との間のリンクＸ２13が使用可能であるか否かを調べることによって、移動端末ＭＴが無線セルラー通信ネットワークにアクセスする際に経由することを許されている基地局ＢＳ１が使用可能であるか否かを調べてもよい。
【０１６１】
移動端末ＭＴが無線セルラー通信ネットワークにアクセスする際に経由することを許されている基地局ＢＳ１が使用可能である場合には、プロセッサ３００は、既に開示されているステップＳ６０７に進む。
【０１６２】
移動端末ＭＴが無線セルラー通信ネットワークにアクセスする際に経由することを許されている基地局ＢＳ１が使用可能でない場合には、プロセッサ３００はステップＳ６０５に進む。
【０１６３】
ステップＳ６０５において、プロセッサ３００は、ステップＳ６００において受信されたメッセージを転送した基地局ＢＳ２を経由して、移動端末ＭＴが無線セルラー通信ネットワークにアクセスするのを許可する。
【０１６４】
移動端末ＭＴは、基地局ＢＳ２を経由して、遠隔通信装置との通信を確立又は受信することができ、かつ／又は、データをダウンロードすることができ、かつ／又は、自身の少なくとも１つの基地局の第１のリストにおいて特定される基地局ＢＳ１が使用可能でないことをコアネットワーク装置ＣＮに通知することができ、かつ／又は、使用可能でない基地局ＢＳ１を起動するようにコアネットワーク装置ＣＮに要求することができる。
【０１６５】
次のステップＳ６０６において、プロセッサ３００は、ステップＳ６００において受信されたメッセージを転送した基地局ＢＳ２に対して、ステップＳ６００において受信されたメッセージを転送した基地局ＢＳ２を経由して移動端末ＭＴが無線セルラー通信ネットワークにアクセスするのを許可するメッセージを転送するように指示する。
【０１６６】
その後、プロセッサ３００は本アルゴリズムを中断する。
【０１６７】
図６ｂは、本発明による、移動端末が無線セルラー通信ネットワークにアクセスできるか否かを調べるために基地局によって実行されるアルゴリズムの一例を開示する。
【０１６８】
より厳密には、本アルゴリズムは、図５のステップＳ５０７において移動端末ＭＴによって転送されたメッセージを受信する基地局ＢＳ２のプロセッサ４００によって実行される。
【０１６９】
ステップＳ６５０において、プロセッサ４００は、図５のステップＳ５０７において移動端末ＭＴによって転送されたメッセージの受信を検出する。
【０１７０】
次のステップＳ６５１において、プロセッサ４００は、図５のステップＳ５０７においてメッセージを送信した移動端末ＭＴが無線セルラー通信ネットワークにアクセスする際に経由することを許されている少なくとも１つの基地局ＢＳの第１のリストにおいて、基地局ＢＳ２が特定されるか否かを調べる。
【０１７１】
基地局ＢＳ２が第１のリストにおいて特定される場合には、プロセッサ４００はステップＳ６５２に進む。そうでない場合には、プロセッサ４００はステップＳ６５３に進む。
【０１７２】
ステップＳ６５２において、プロセッサ４００は、移動端末ＭＴが基地局ＢＳ２を経由して遠隔通信装置との通信を確立又は受信するのを許可する。
【０１７３】
その後、プロセッサ４００は本アルゴリズムを中断する。
【０１７４】
ステップＳ６５３において、移動端末ＭＴが無線セルラー通信ネットワークにアクセスする際に経由することを許されている少なくとも１つの基地局ＢＳが使用可能でない場合、プロセッサ４００は、図５のステップＳ５０７においてメッセージを送信した移動端末ＭＴが無線セルラー通信ネットワークにアクセスする際に経由することを許されている少なくとも１つの基地局ＢＳの第２のリストにおいて、基地局ＢＳ２が特定されるか否かを調べる。
【０１７５】
基地局ＢＳ２が第２のリストにおいて特定されない場合には、プロセッサ４００はステップＳ６５７に進む。
【０１７６】
ステップＳ８５７において、プロセッサ４００は、移動端末ＭＴが基地局ＢＳ２を経由して無線セルラー通信ネットワークにアクセスする権利を与えるのを拒否する。
【０１７７】
次のステップＳ６５８において、プロセッサ４００は、移動端末ＭＴに向けてメッセージを転送するように指示する。そのメッセージは、無線セルラー通信ネットワークにアクセスするのを拒否することを表す。
【０１７８】
その後、プロセッサ４００は本アルゴリズムを中断する。
【０１７９】
基地局ＢＳ２が移動端末ＭＴの第２のリストにおいて特定される場合には、プロセッサ４００はステップＳ６５４に進む。
【０１８０】
ステップＳ６５４において、プロセッサ４００は、図６ａのステップＳ６０４において開示されているように、移動端末ＭＴの第１のリストにおいて特定される基地局ＢＳ１が使用可能であるか否かを調べる。
【０１８１】
移動端末ＭＴの第１のリストにおいて特定される基地局ＢＳ１が使用可能である場合には、プロセッサ４００は、既に開示されているステップＳ６５７に進む。
【０１８２】
移動端末ＭＴの第１のリストにおいて特定される基地局ＢＳ１が使用可能でない場合には、プロセッサ４００はステップＳ６５５に進む。
【０１８３】
ステップＳ６５５において、プロセッサ４００は、無線セルラー通信ネットワークにアクセスするために、基地局ＢＳ２の資源を使用するアクセス権を与える。
【０１８４】
移動端末ＭＴは、基地局ＢＳ２を経由して、遠隔通信装置との通信を確立又は受信することができ、かつ／又は、データをダウンロードすることができ、かつ／又は、自身の少なくとも１つの基地局の第１のリストにおいて特定される基地局ＢＳ１が使用可能でないことをコアネットワーク装置ＣＮに通知することができ、かつ／又は、使用可能でない基地局ＢＳ１を起動するようにコアネットワーク装置ＣＮに要求することができる。
【０１８５】
次のステップＳ６５６において、プロセッサ４００は、ステップＳ６５０において受信されたメッセージを転送した移動端末ＭＴに向けて、無線セルラー通信ネットワークにアクセスするのを許可するメッセージを転送するように指示する。
【０１８６】
その後、プロセッサ４００は、本アルゴリズムを中断する。
【０１８７】
図７は、本発明による、少なくとも１つの基地局の第２のリストを決定するために基地局によって実行されるアルゴリズムの一例を開示する。
【０１８８】
より厳密には、本アルゴリズムは、各移動端末ＭＴの第１のリストにおいて特定される各基地局ＢＳのプロセッサ４００によって実行される。
【０１８９】
基地局ＢＳ１のプロセッサ４００によって実行されるときの本アルゴリズムが開示される。
【０１９０】
ステップＳ７００において、プロセッサ４００は、基地局ＢＳ１の隣接条件、すなわち、基地局ＢＳ１の隣接局である基地局ＢＳを確定する。
【０１９１】
たとえば、プロセッサ４００は、無線インターフェース４０５に対して、他の基地局ＢＳによって放射される信号をモニタするように指示するか、或いは、ネットワークインターフェース４０５に対して、他の基地局ＢＳとの間に存在するリンクＸ２12、Ｘ２13を示すように指示する。
【０１９２】
１つの変形形態では、プロセッサ４００は、移動端末ＭＴによって転送される測定報告を用いて、基地局ＢＳ１の隣接条件を確定する。
【０１９３】
次のステップＳ７０１において、プロセッサ４００は、隣接条件確定ステップにおいて特定された基地局ＢＳを選択する。
【０１９４】
プロセッサ４００は、たとえば、測定された信号の中で基地局ＢＳ１によって最も高い電力強度で受信される信号を転送する基地局ＢＳ２を選択する。
【０１９５】
次のステップＳ７０２において、プロセッサ４００は、ネットワークインターフェース４０６及びリンクＸ２12を通じて、選択された基地局ＢＳに向けてメッセージを転送するように指示する。
【０１９６】
そのメッセージは、選択された基地局ＢＳ２との合意要求（request for agreement）を表す。
【０１９７】
その合意は、たとえば、以下の通りである。
【０１９８】
移動端末ＭＴの第２のリストにおいて特定されることに合意するか？代償として、基地局ＢＳ１は、自身がその第１のリストにおいて特定されている移動端末ＭＴの第２のリストにおいて特定されることに合意する。
【０１９９】
次のステップＳ７０３において、プロセッサ４００は、ネットワークインターフェース４０６を通じて、応答メッセージの受信を検出する。
【０２００】
応答メッセージが合意を表す場合には、プロセッサ４００はステップＳ７０４に進む。そうでない場合には、プロセッサ４００は、ステップＳ７０８に進む。
【０２０１】
たとえば、基地局ＢＳ２は、自身の動作負荷に基づいて、その合意を受け入れてもよいし、断ってもよい。
【０２０２】
その合意が受け入れられる場合には、基地局ＢＳ１は、基地局ＢＳ２がその第１のリストにおいて特定される少なくとも１つの移動端末ＭＴの第２のリストにおいて特定される。基地局ＢＳ２は、基地局ＢＳ１がその第１のリストにおいて特定される少なくとも１つの移動端末ＭＴの第２のリストにおいて特定される。
【０２０３】
ステップＳ７０４において、プロセッサ４００は、基地局ＢＳ１がその第１のリストにおいて特定される少なくとも１つの移動端末ＭＴの第２のリストにおいて基地局ＢＳ２を特定する。
【０２０４】
次のステップＳ７０５において、プロセッサ４００は、その第２のリスト又は各第２のリストの変更を通知するメッセージを、コアネットワーク装置ＣＮに向けて転送するように指示する。
【０２０５】
次のステップＳ７０６において、プロセッサ４００は、基地局ＢＳ１がそれぞれの第１のリストにおいて特定される各移動端末ＭＴに向けてメッセージを転送するように指示する。そのメッセージは、移動端末ＭＴの第２のリストの変更を通知する。
【０２０６】
次のステップＳ７０７において、プロセッサ４００は、たとえば、以前に隣接基地局ＢＳの電源が切られていた経験に基づいて、１つ又は複数の第２のリストが拡張される必要があるか否かを調べる。
【０２０７】
１つ又は複数の第２のリストが拡張される必要がある場合には、プロセッサ４００はステップＳ７０８に進む。そうでない場合には、プロセッサ４００は、本アルゴリズムを中断する。
【０２０８】
ステップＳ７０８において、プロセッサ４００は、合意が提案されていない少なくとも１つの基地局ＢＳが存在するか否かを調べる。
【０２０９】
合意が提案されていない少なくとも１つの基地局ＢＳが存在する場合には、プロセッサ４００はステップＳ７０９に進む。そうでない場合には、プロセッサ４００は本アルゴリズムを中断する。
【０２１０】
ステップＳ７０９において、プロセッサ４００は、隣接条件確定ステップにおいて特定された別の基地局ＢＳを選択し、ステップＳ７０２に戻る。
【０２１１】
図８は、本発明による、少なくとも１つの基地局の第２のリストを決定するために、コアネットワーク装置によって実行されるアルゴリズムの一例を開示する。
【０２１２】
より厳密には、本アルゴリズムは、コアネットワーク装置ＣＮのプロセッサ３００によって実行される。
【０２１３】
ステップＳ８００において、プロセッサ３００は、基地局ＢＳ１〜ＢＳ３の隣接条件、すなわち、基地局ＢＳ１〜ＢＳ３の隣接局である基地局ＢＳを確定する。
【０２１４】
たとえば、プロセッサ３００は、他の基地局ＢＳによって放射されて基地局ＢＳ１〜ＢＳ３によって測定される信号を表す情報を各基地局ＢＳ１〜ＢＳ３から取得するか、或いは、基地局ＢＳ間に存在するリンクＸ２12、Ｘ２13及びＸ２23のリストを各基地局ＢＳ１〜ＢＳ３から取得する。
【０２１５】
１つの変形形態では、プロセッサ３００は、移動端末ＭＴから得られる測定報告を用いて、基地局ＢＳ１の隣接条件を確定する。
【０２１６】
次のステップＳ８０１において、プロセッサ３００は、各基地局ＢＳごとに、隣接条件確定ステップにおいて特定された少なくとも１つの基地局ＢＳを選択し、第１のリストにおいてその基地局ＢＳを特定する各移動端末ＭＴの各第２のリストにおいて、当該選択された１つ又は複数の基地局ＢＳを特定する。
【０２１７】
次のステップＳ８０２において、プロセッサ３００は、基地局ＢＳに向けてメッセージを転送するように指示する。そのメッセージは、移動端末ＭＴに転送される第２のリストを含む。
【０２１８】
その後、プロセッサ３００は本アルゴリズムを中断する。
【０２１９】
図９は、本発明による、少なくとも１つの基地局の第２のリストを決定するために、移動端末によって実行されるアルゴリズムの一例を開示する。
【０２２０】
より厳密には、本アルゴリズムは移動端末ＭＴのプロセッサ２００によって実行される。
【０２２１】
ステップＳ９００において、プロセッサ２００は、基地局ＢＳ１の隣接条件、すなわち、基地局ＢＳ１の隣接局である基地局ＢＳを確定する。
【０２２２】
たとえば、プロセッサ２００は、無線インターフェース２０５に対して、基地局ＢＳ１によって高い電力レベルで放射される信号を移動端末ＭＴが受信する際に、他の基地局ＢＳによって放射される信号をモニタするように指示する。
【０２２３】
特定の実現形態によれば、移動端末が無線セルラー通信ネットワークにアクセスする際に経由するべき第１のリストにおいて特定される基地局が使用可能でない場合に、プロセッサ２００は、無線インターフェース２０５に対して、移動端末が他の基地局ＢＳの資源を経由して無線セルラー通信ネットワークにアクセスできるようにする、他の基地局ＢＳによって転送されるメッセージをモニタするように指示する。
【０２２４】
これらのメッセージは、たとえば、これらの基地局ＢＳのブロードキャストチャネル内のフラグを通じてシグナリングされてもよい。
【０２２５】
その実現形態によれば、プロセッサ２００は、ステップＳ９００からＳ９０４まで進む。
【０２２６】
次のステップＳ９０１において、プロセッサ２００は、隣接条件判断ステップにおいて確定された基地局ＢＳを選択する。
【０２２７】
プロセッサ２００は、たとえば、他の基地局ＢＳ２及びＢＳ３によって転送される信号の中から移動端末ＭＴによって最も高い電力強度で受信される信号を転送する基地局ＢＳ２を選択し、かつ／又は、第２のリストにおいて特定されると共に、最も低い動作負荷を有する基地局ＢＳを選択し、かつ／又は、第２のリストにおいて特定されると共に、移動端末ＭＴによって最も高い品質で受信される信号を転送する基地局ＢＳを選択する。
【０２２８】
次のステップＳ９０２において、プロセッサ２００は、無線インターフェース２０５を通じて、移動端末ＭＴの第１のリストにおいて特定される基地局ＢＳ１に向けてメッセージを転送するように指示する。
【０２２９】
そのメッセージは、選択された基地局ＢＳ２との合意要求を表す。
【０２３０】
基地局ＢＳ１は、その合意に同意してもよいし、同意しなくてもよい。その合意は、たとえば、図７のステップＳ７０２において開示されているような合意である。
【０２３１】
次のステップＳ９０３において、プロセッサ２００は、無線インターフェース２０５を通じて、応答メッセージの受信を検出する。
【０２３２】
その応答メッセージが合意を表す場合には、プロセッサ２００はステップＳ９０４に進む。そうでない場合には、本アルゴリズムはステップＳ９０６に進む。
【０２３３】
たとえば、基地局ＢＳ１は、自身の動作負荷に基づいて、その合意を受け入れてもよいし、断ってもよい。
【０２３４】
ステップＳ９０４において、プロセッサ２００は、移動端末ＭＴの第２のリストに基地局ＢＳ２を挿入する。
【０２３５】
次のステップＳ９０５において、プロセッサ２００は、第２のリストの変更を通知するメッセージをコアネットワーク装置ＣＮに向けて転送するように指示する。
【０２３６】
その後、プロセッサ２００は、本アルゴリズムを中断する。
【０２３７】
ステップＳ９０６において、プロセッサ２００は、移動端末ＭＴのための第２のリストを決定するようにコアネットワーク装置ＣＮに対して要求するメッセージを、コアネットワーク装置ＣＮに向けて転送するように指示する。
【０２３８】
当然、本発明の範囲から逸脱することなく、上述した本発明の実施形態に対して、数多くの変更を加えることができる。
【図１】
2012503391.tif 000003
【図２】
2012503391.tif 000004
【図３】
2012503391.tif 000005
【図４】
2012503391.tif 000006
【図５】
2012503391.tif 000007
【図６ａ】
2012503391.tif 000008
【図６ｂ】
2012503391.tif 000009
【図７】
2012503391.tif 000010
【図８】
2012503391.tif 000011
【図９】
2012503391.tif 000012
【国際調査報告】
2012503391.tif 000013
2012503391.tif 000014
2012503391.tif 000015